(57)【要約】【課題】塩昆布等の食品調味料を調理で使う際、調理時の鍋等への投入時に、片手で簡単に速やかに取り出すことが出来、また、好きな量を調節しながら取り出すことが出来、手や箸、スプーンなどの器具を汚すことなく、忙しい主婦、料理人が簡単に片手で取り出すことの出来る、食品用の包装袋を提供する。【解決手段】プラスチックフイルム１などの軟包材で構成されていて、袋側部を形成するサイドシール部３と袋上部のトップシール部５を有し、サイドシール部３の中間部に、包装体のくびれ部４を有する平袋の底部２の充填部７より内容物を充填し、平袋の底部２を溶着する包装体において、包装体のくびれ部４の幅寸法が式  ０．６５Ｗ２＜Ｗ３＜０．８５Ｗ２（式中Ｗ２は底部２の幅を、Ｗ３は包装体のくびれ部４の幅を表す）  の範囲内寸法を有する包装袋であって、前記包装袋が、再密封可能なプラスチックチャック部６を備えたことを特徴とする食品用包装体である。【選択図】図１
2013141994.tif 000002
【特許請求の範囲】
【請求項１】
プラスチックフイルム１などの軟包材で構成されていて、袋側部を形成するサイドシール部３と袋上部のトップシール部５を有し、サイドシール部３の中間部に、包装体のくびれ部４を有する平袋の底部２の充填部７より内容物を充填し、平袋の底部２を溶着する包装体において、包装体のくびれ部４の幅寸法が式  ０．６５Ｗ２＜Ｗ３＜０．８５Ｗ２（式中Ｗ２は底部２の幅を、Ｗ３は包装体のくびれ部４の幅を表す）  の範囲内寸法を有する包装袋であって、前記包装袋が、再密封可能なプラスチックチャック部６を備えたことを特徴とする食品用包装体。
【請求項２】
前記プラスチックチャック部６に形状を保持する樹脂を貼り付け、プラスチックチャック部６の上部の取出部８より内容物を取り出しやすくした請求項１記載の食品用包装体。
【請求項３】
前記包装体の包装体くびれ部４の幅寸法Ｗ３が８０ｍｍから１００ｍｍである請求項１又は２記載の食品包装体。
【請求項４】
前記包装体のトップシール部５の幅寸法と底部２の幅寸法が式  Ｗ１＜Ｗ２（式中Ｗ１は上部トップシール５の幅を、Ｗ２は底部２の幅を表す）  の寸法を有し充填部７より食品を充填しやすくした請求項１又は２又は３記載の食品包装体。
【発明の詳細な説明】
【技術分野】
【０００１】
本発明は、液体、粘体、粉体など流動性を有する内容物を密封包装するために用いられる食品用の包装袋に関し、更に詳しくは、使用時に取扱いが手軽で、片手で内容物を簡単に取り出すことのできる、食品の充填に適した袋に関するものである。
【背景技術】
【０００２】
従来、食品の充填される袋は、プラスチック製のなどの軟包装材料で形成されているに関わらず、形状によっては自立性があり、立体容器としての特徴も備えていることから、液体、粘体、粉体など流動性を有するものの容器として幅広く使用されている。しかし、これらの容器では、内容物の使用に際して多くの問題を生じている。例えば、プラスチックフイルムから構成されている従来の自立性包装体に充填した場合は、容器内から取り出す場合には、図５に示すように片手で容器を保持しながら、もう片方の手で箸、スプーンなどの食品器具を用いて取り出さなければならず、両手が必要となり作業性が著しく悪く、手が汚れたり、箸、スプーンなどの食品器具が取り出すためだけに汚れてしまう。また、図６に示すように、軟包材容器であるがゆえに、片手で取り出そうとすると手のひらや指先の力が軟包材容器にかかり、挟んで、容器が変形して重量バランスを失い、片手で操作して内容物を取り出すことは困難となる。
【０００３】
取り出し方を改善した容器として、特開２００２−１７９１００では、スタンディングパウチ上部の一方の隅に内容物注出用の注出部を設け、注出部のパウチ側部には、内容物充填状態において、パウチの左右側部から注出部に向けた稜線部を形成するくびれ部を形成して、注出部の開口形成をよくしている。この場合、この容器を実際に女性が使用すると、内容物の重さが重く、片手で簡単に使用することが難しく、また、くびれ部の幅が広いことより片手で持つことは不可能であり、内容物を簡単に片手で取り出すことは困難であった。
【０００４】
また、くびれ部を持たせた容器として、特開２００４−４３０３２では、レトルトパウチでガセット部を有する袋であり、自立性を付与する形状のシールパターンでシールされ、袋の長さ方向の中間部近辺に弓状の凹部を設けられ、袋の上部一方の隅部に注出用の注出部を設けている。この場合もこの容器を実際に女性が使用すると、内容物の重さが重く、片手で簡単に使用することが難しく、また、くびれ部の幅が広いことより片手で持つことは不可能であり、内容物を簡単に片手で取り出すことは困難であった。
【発明の概要】
【発明が解決しようとする課題】
【０００５】
本発明は、上記の技術的背景ならびに課題を解決するためになされたものであり塩昆布などの食品調味料を調理で使う際に、鍋等への投入時に、片手で簡単に速やかに取り出すことが出来、また、好きな量を調節しながら取り出すことが出来、手や箸、スプーンなどが汚れることなく、忙しい主婦、料理人が簡単に片手で取り出すことの出来る、食品用の包装袋を提供する。
【課題を解決するための手段】
【０００６】
上記の目的を達成するために、すなわち、請求項１に係る発明は、プラスチックフイルム１などの軟包材で構成されていて、袋側部を形成するサイドシール部３と袋上部のトップシール部５を有し、サイドシール部３の中間部に、包装体のくびれ部４を有する平袋の底部２の充填部７より内容物を充填し、平袋の底部２を溶着する包装体において、包装体のくびれ部４の幅寸法が式  ０．６５Ｗ２＜Ｗ３＜０．８５Ｗ２（式中Ｗ２は底部２の幅を、Ｗ３は包装体のくびれ部４の幅を表す）  の範囲内寸法を有する包装袋であって、前記包装袋が、再密封可能なプラスチックチャック部６を備えたことを特徴とする食品用包装体。
【０００７】
請求項２に係る発明は、前記プラスチックチャック部６に形状を保持する樹脂を貼り付け、プラスチックチャック部６の上部の取出部８より内容物を取り出しやすくした請求項１記載の食品用包装体。
【０００８】
請求項３に係る発明は、前記包装体の包装体くびれ部４の幅寸法Ｗ３が８０ｍｍから１００ｍｍである請求項１又は２記載の食品包装体。
【０００９】
請求項４に係る発明は、前記包装体のトップシール部５の幅寸法と底部２の幅寸法が式Ｗ１＜Ｗ２（式中Ｗ１は上部トップシール５の幅を、Ｗ２は底部２の幅を表す）  の寸法を有し充填部７より食品を充填しやすくした請求項１又は２又は３記載の食品包装体。
【発明の効果】
【００１０】
本発明により、塩昆布などの食品調味料を調理で使う際に、調理時の鍋等への投入時に、片手で簡単に速やかに取り出すことが出来、また、好きな量を調節しながら取り出すことが出来、手や箸、スプーンなどの食品器具が汚れることなく、忙しい主婦、料理人が簡単に片手で取り出すことの出来る、食品用の包装袋を提供することができる。
【図面の簡単な説明】
【００１１】
【図１】本発明の食品用包装袋の実施例の構成を示す正面図である。
【図２】本発明の食品用包装袋の実施例の寸法を示す正面図である。（単位ｍｍ）
【図３】本発明の食品用包装袋に食品調味料を充填した実施例を示す正面図である。
【図４】本発明の食品用包装袋に食品調味料を充填し、実際に片手で簡単に把持して使用する実施例を示す側面図である。
【図５】従来の自立性包装体に充填した場合、両手で容器内から食品器具を使用して取り出す場合の斜視図である。
【図６】従来の食品用包装袋でくびれ部の幅が広いことより片手で持つと、袋にしわがより、内容物を簡単に片手で取り出すことは困難な側面図である。
【発明を実施するための形態】
【００１２】
以下、図面により本発明の一実施例としての実施の形態を、詳細に説明する。図１は、本発明の一態様である食品用包装体の正面図である。まず、この食品用包装体に用いられるプラスチックフィルム１について説明する。このフィルムまたはシート構成は、食品に適合した材質であれば何でもよく、多層、単層構造にも拘らない。また、透明でも、アルミニウム等の中身の見えない金属系フィルムでも一向に構わない。
【００１３】
この包装袋に充填される食品は、液体、粘体、粉体など流動性を有するもののならなんでもよく、例えば、ケチャップ、マヨネーズ、昆布関連の調味料、かつお節をベースとした調味料、砂糖、塩、コショウ等の振り出して使う調味料なら何でも良い。
【００１４】
図１の食品用包装体は底部シール部２の充填部７より、前述の液体、粘体、粉体など流動性を有する食品が充填され、底部シ−ル部２が溶着されることにより密閉された食品包装袋となる。この食品用包装体から、食品内容物を取り出す場合は、トップシール部５を切断し、プラスチックチャック部６を開けて、調理時の鍋等への投入時に、片手で簡単に速やかに、また、好きな量を調節しながら取り出すことが出来る。プラスチックチャック部６を最初に両手で開けると、くびれ部４を片手で抑えるだけで、図４のように横に傾けるだけで、液体、粘体、粉体など流動性を有する食品を必要量だけ取り出すことが出来る。くびれ部４の幅寸法Ｗ３は、８０ｍｍから１００ｍｍの寸法であり、女性が簡単に片手で使用できる。
【００１５】
このプラスチックチャック部６の開口状態を維持するためには、プラスチックチャック部６の真上に形状を保持する樹脂を貼り付け、プラスチックチャック部６の上部の取出部８の形状を一層保持すると、片手で簡単に速やかに取り出せ、好きな量を調節が容易になる。また、工業生産性を考えると、本発明の包装袋は、下方向である底部シール部より食品内容物充填されるため、Ｗ１よりＷ２を大きめにすると、内容物の充填作業が容易となり生産性が改善する。
【産業上の利用可能性】
【００１６】
本発明は、液体、粘体、粉体など流動性を有する密封包装するために用いられる食品用の包装袋であり、使用時に取扱いが手軽で、女性でも片手で内容物を簡単に取り出し、必要な量の内容物について、手を汚さずに正確に取り出すことが可能であり、今後社会で働く女性が増え、食の簡便化が進行する中で、有効な包装形態であるといえる。
【符号の説明】
【００１７】
１ プラスチックフィルム
２ 底部シール部
３ サイドシール部
４ くびれ部
５ トップシール部
６ プラスチックチャック部
７ 充填部
８ 取出部
【図１】
2013141994.tif 000003
【図２】
2013141994.tif 000004
【図４】
2013141994.tif 000005
【図５】
2013141994.tif 000006
【図６】
2013141994.tif 000007
【図３】
2013141994.tif 000008